(57)【要約】【課題】  簡単な構造で、錨針を有する仕掛けを付けた釣り糸を迅速、かつ確実に巻き付けることが可能である。【解決手段】  鮎の友釣り仕掛け巻き具４１は、錨針４７ａを有する仕掛け４７を付けた釣り糸を巻き付ける鮎の友釣り仕掛け巻き具４１であり、仕掛け４７を巻き付けるための複数の巻付部材が設けられる分割筒状の巻き本体４２と、巻き本体４２と開閉可能である分割筒状の巻き蓋体４３とを有し、巻き本体４２と巻き蓋体４３とを開いた状態で、錨針４７ａを複数の巻付部材のいずれかの巻付部材に掛け、仕掛け４７を複数の巻付部材に巻き付けて閉じ、釣り糸を外部に引き出して巻き本体４２と巻き蓋体４３とを閉じた状態で外周に釣り糸を巻き付ける。【選択図】図１
2008005774.tif 000002
【特許請求の範囲】
【請求項１】
錨針を有する仕掛けの釣り糸を巻き付ける鮎の友釣り仕掛け巻き具であり
前記釣り糸を巻き付けるための複数の巻付部材が設けられる分割筒状の巻き本体と、
前記巻き本体と開閉可能である分割筒状の巻き蓋体とを有し、
前記巻き本体と前記巻き蓋体とを開いた状態で、前記錨針を前記複数の巻付部材のいずれかの巻付部材に掛け、前記釣り糸を前記複数の巻付部材に巻き付けて閉じ、
前記釣り糸を外部に引き出して前記巻き本体と前記巻き蓋体とを閉じた状態で外周に前記釣り糸を巻き付けることを特徴とする鮎の友釣り仕掛け巻き具。
【請求項２】
前記複数の巻付部材は、1つの巻付部材が中央に配置され、他の巻付部材が前記中央の巻付部材の周囲に配置されることを特徴とする請求項１に記載の鮎の友釣り仕掛け巻き具。
【請求項３】
前記巻き本体の軸心の外側面に、円錐形の突起物を有し、
前記巻き蓋体の軸心の外側面に、円錐形の突起物を有することを特徴とする請求項１または請求項２に記載の鮎の友釣り仕掛け巻き具。
【発明の詳細な説明】
【技術分野】
【０００１】
この発明は、川釣りに用いられる鮎の友釣り仕掛け巻き具に関するものである。
【背景技術】
【０００２】
従来から釣り用仕掛けの釣り糸を保管するための釣り用仕掛け巻きがあり、釣りの対象となる魚の種類により様々な釣り用仕掛けが用いられる。例えばキス釣りでは、１本の幹糸に複数本の枝糸を取り付け、各枝糸の先端に釣針を取り付けた数釣り用の仕掛けが用いられ、この仕掛けの釣り糸が絡むのを防ぐために、２枚のフランジの間にリール部及び掛止部材を設けた仕掛け巻きが開示されている（特許文献１）。
【特許文献１】特開２００５-１８５１１８号公報
【発明の開示】
【発明が解決しようとする課題】
【０００３】
ところで、鮎の友釣りでは、錨針を有する仕掛けの釣り糸を用いており、特許文献１の枝素の付いた針の仕掛け巻きは用いることができない。また、鮎釣りの仕掛け巻きは各種市販されているが、いずれも錨針を外してから、巻き付ける仕掛け巻きであり、手数が掛かり不便である。特に、金属糸はキンクしたら使えないので、扱いに注意しなくてはならず、鮎の友釣りの錨針を付けたまま、鮎の友釣りの仕掛けを巻き付ける仕掛け巻きはない。
【０００４】
この発明は、かかる点に鑑みてなされたもので、簡単な構造で、錨針を有する仕掛けの釣り糸を迅速、かつ確実に巻き付けることが可能な鮎の友釣り仕掛け巻き具を提供することを目的としている。
【課題を解決するための手段】
【０００５】
前記課題を解決し、かつ目的を達成するために、この発明は、以下のように構成されている。
【０００６】
請求項１に記載の発明は、
錨針を有する仕掛けの釣り糸を巻き付ける鮎の友釣り仕掛け巻き具であり
前記釣り糸を巻き付けるための複数の巻付部材が設けられる分割筒状の巻き本体と、
前記巻き本体と開閉可能である分割筒状の巻き蓋体とを有し、
前記巻き本体と前記巻き蓋体とを開いた状態で、前記錨針を前記複数の巻付部材のいずれかの巻付部材に掛け、前記釣り糸を前記複数の巻付部材に巻き付けて閉じ、
前記釣り糸を外部に引き出して前記巻き本体と前記巻き蓋体とを閉じた状態で外周に前記釣り糸を巻き付けることを特徴とする鮎の友釣り仕掛け巻き具である。
【０００７】
請求項２に記載の発明は、
前記複数の巻付部材は、1つの巻付部材が中央に配置され、他の巻付部材が前記中央の巻付部材の周囲に配置されることを特徴とする請求項１に記載の鮎の友釣り仕掛け巻き具である。
【０００８】
請求項３に記載の発明は、
前記巻き本体の軸心の外側面に、円錐形の突起物を有し、
前記巻き蓋体の軸心の外側面に、円錐形の突起物を有することを特徴とする請求項１または請求項２に記載の鮎の友釣り仕掛け巻き具である。
【発明の効果】
【０００９】
前記構成により、この発明は、以下のような効果を有する。
【００１０】
請求項１に記載の発明では、巻き本体と巻き蓋体とを開いた状態で、錨針を複数の巻付部材のいずれかの巻付部材に掛け、仕掛けの釣り糸を複数の巻付部材に巻き付けて閉じ、釣り糸を外部に引き出して巻き本体と巻き蓋体とを閉じた状態で外周に釣り糸を巻き付けることで錨針を付けたまま収納できる。
【００１１】
請求項２に記載の発明では、巻き本体と巻き蓋体とを開いた状態で、仕掛けを中央の巻付部材に掛け、さらに周囲の巻付部材に巻き付けて閉じ、釣り糸を外部に引き出して巻き本体と巻き蓋体とを閉じた状態で外周に糸を巻き付けることで、錨針を付けたまま収納できる。
【００１２】
請求項３に記載の発明では、巻き本体と巻き蓋体とを閉じた状態で、親指と人指し指で左右の突起物を両側から押さえ円滑に回転することができる。
【発明を実施するための最良の形態】
【００１３】
以下、この発明の鮎の友釣り仕掛け巻き具の実施の形態について説明するが、この発明の実施の形態は、発明の最も好ましい形態を示すものであり、この発明はこれに限定されない。
【００１４】
まず、鮎の友釣り仕掛け巻き具について、図１乃至図６に基づいて説明する。図１は鮎の友釣り仕掛け巻き具の閉じた状態の正面図、図２は図１のＩＩ−ＩＩ線に沿う断面図、図３は図１のＩＩＩ−ＩＩＩ線に沿う断面図、図４は鮎の友釣り仕掛け巻き具の閉じた状態の側面図、図５は鮎の友釣り仕掛け巻き具の使用状態の正面図、図６は鮎の友釣り仕掛け巻き具の使用状態の側面図である。
【００１５】
この実施の形態の鮎の友釣り仕掛け巻き具４１は、鮎の友釣りの仕掛け巻きに用いられ、分割筒状の巻き本体４２と、分割筒状の巻き蓋体４３とを有している。この鮎の友釣り仕掛け巻き具４１は、図５に示すように、金属糸４８の先端に錨針４７ａを有し、さらに逆さ針４７ｂ、背針4７ｃ、鼻管4７ｄを順に有する仕掛け４７の釣り糸を巻き付けるものである。巻き本体４２と巻き蓋体４３は樹脂で形成され、一端部を連結する連結ピン４９を支点に開閉可能になっている。巻き本体４２は、円形状の本体部４２ａと、本体部４２ａの外周に連続して壁状に形成された半円状の巻き部４２ｂを有している。本体部４２ａの中央部には、錨針４７ａを掛けるための巻付部材としてのピン４４が設けられ、ピン４４の周囲には円周上の位置に逆さ針４７ｂ、背針4７ｃ、鼻管4７ｄを順に有する金属糸４８を巻き付けるための巻付部材としての４個のピン４５が９０度間隔で配置されている。巻付部材は、４個のピン４５に限定されず、円弧状の壁部材などで形成してもよい。巻き部４２ｂの外周には、金属糸４８の釣り糸を巻き付けるための巻き付け溝４２ｂ１が形成されている。
【００１６】
巻き蓋体４３は、円形状の本体部４３ａと、本体部４３ａの外周に連続して壁状に形成された半円状の巻き部４３ｂを有している。巻き部４３ｂの外周には、金属糸４８の釣り糸を巻き付けるための巻き付け溝４３ｂ１が形成されている。
【００１７】
この巻き本体４２と巻き蓋体４３とを閉じた状態では、図１に示すように、半円状の巻き部４２ｂの開閉端部４２ｂ２と、半円状の巻き部４３ｂの開閉端部４２ｂ２との間に隙間４６が形成され、巻き本体４２と巻き蓋体４３とを閉じた状態で隙間４６から金属糸４８の釣り糸を外部に引き出すことができるようになっている。
【００１８】
また、巻き本体４２は、本体部４２ａの軸心の外側面に、円錐形の突起物４２ｃを有し、巻き蓋体４３は、本体部４３ａの軸心の外側面に、円錐形の突起物４３ｃを有しており、巻き本体４２と巻き蓋体４３とを閉じた状態で、親指と人指し指で左右の突起物４２ｃ、４３ｃを両側から押さえ、鮎の友釣り仕掛け巻き具４１を円滑に回転することができる。
【００１９】
次に、この鮎の友釣り仕掛け巻き具４１の使用状態を説明する。鮎の友釣り仕掛けの釣り糸としては、穂先に結ぶ糸を大井糸と称しカラミ止めに太い糸（１．５号）を使用し、空中糸は中太の糸（０．６号）を使用し、水中糸は水の抵抗の少ない細い糸又は金属糸（０．２号）を使用し、ツマミ糸は鮎を取り込むときにツマム糸であり、強い糸（０．４号）を使用して２０〜３０ｃｍに結ぶ、中仕掛けは鼻管回りの仕掛けとも言い、鼻管、背針、逆さ針、ハリス留め等が絡まないように、太い糸（１．２号）を使用し、ハリス糸は針を結ぶ糸で鮎に切られないよう太い糸（１．０号）を使い、錨針には3本錨と4本錨がある。
【００２０】
この実施の形態の鮎の友釣り仕掛け巻き具４１の使用では、巻き本体４２と巻き蓋体４３とを開いた状態で（図５）、3本錨の錨針４７ａをピン４４に掛け、さらに逆さ針４７ｂ、背針4７ｃ、鼻管4７ｄを順に有する仕掛け４７を複数の周囲のピン４５に巻き付けて閉じる。この巻き本体４２と巻き蓋体４３とを閉じた状態で隙間４６から金属糸４８を外部に引き出し、一方の手の親指と人差し指で、巻き本体４２と巻き蓋体４３の軸心の部分に設けられた左右の円錐形の突起物４２ｃ、４３ｃを両側から押さえ、他方の指で巻き本体４２と巻き蓋体４３とを閉じた状態で回して、外周の巻き付け溝４２ｂ１，４３ｂ１に金属糸４８を巻き付ける（図６）。金属糸４８の最後は、巻き本体４２と巻き蓋体４３の合わせ目に挟んで固定する。
【００２１】
このように、巻き本体４２と巻き蓋体４３とを開いた状態で、仕掛け４７を中央のピン４４と周囲ピン４５に巻き付けて閉じ、金属糸４８を外部に引き出して巻き本体４２と巻き蓋体４３とを閉じた状態で外周に金属糸４８を巻き付けることで、釣り用仕掛け巻き４１の内部に錨針４７ａを有する仕掛け４７を付けたまま収納できる。しかも、巻き本体４２と巻き蓋体４３とを閉じた状態で、一方の手の指で左右の円錐形の突起物４２ｃ、４３ｃを両側から押さえ、他方の手の指で巻き本体４２と巻き蓋体４３とを閉じた状態で回して、外周の巻き付け溝４２ｂ１，４３ｂ１に金属糸４８を巻き付けることで、金属糸４８をキンクすることなく巻き付けることができる。また、左右の円錐形の突起物４２ｃ、４３ｃを一方の手の指で両側から押さえ、円錐形の突起物４２ｃ、４３ｃにより他方の手の指でスムーズに回転することができ、金属糸を使用した時でも、操作は簡便で使い勝手が良い。また、複雑な中仕掛け以下、錨針４７ａの付いたハリスまでそのままの状態で巻き本体４２と巻き蓋体４３の内部に収納でき、移動の際には至って便利な仕掛け巻きである。
【００２２】
竿にセットするときは、穂先に釣り糸の最後を結び付けてから、一方の手の親指と人差し指で、巻き本体４２と巻き蓋体４３の中央の左右の突起物４２ｃ、４３ｃを両側から押さえ、他方の手の指で巻き本体４２と巻き蓋体４３とを閉じた状態で回して、外周の巻き付け溝４２ｂ１，４３ｂ１から金属糸４８を引き出し、巻き本体４２と巻き蓋体４３とを開いて仕掛け４７を引き出す。このように、仕掛けを竿にセットする時には、穂先に釣り糸を縛った後、一気に竿尻まで流れるように金属糸４８まで引き出すことができる。
【００２３】
このように、巻き本体４２と巻き蓋体４３とを開いた状態で、錨針４７ａをピン４４に掛け、仕掛けを複数のピン４５に巻き付けて閉じ、金属糸４８を外部に引き出して巻き本体４２と巻き蓋体４３とを閉じた状態で外周に金属糸４８を巻き付けることで仕掛けを付けたまま収納でき、簡単な構造で、錨針４７ａを有する仕掛けを付けた金属糸４８を迅速、かつ確実に巻き付けることが可能である。
【００２４】
次に、他の実施の形態の鮎の友釣り仕掛け巻き具について、図７に基づいて説明する。図７は鮎の友釣り仕掛け巻き具の使用状態の正面図である。
【００２５】
この実施の形態の鮎の友釣り仕掛け巻き具４１は、分割筒状の巻き本体４２と、分割筒状の巻き蓋体４３とを有し、図１乃至図６の実施の形態を同じ構成は、同じ符号を付して説明を省略する。巻き本体４２の本体部４２ａには、４個の周囲のピン４５が９０度間隔で配置され、巻き本体４２と巻き蓋体４３とを開いた状態で、錨針４７ａを４個の周囲ピン４５のいずれかのピンに掛け、さらに逆さ針４７ｂ、背針4７ｃ、鼻管4７ｄを順に有する仕掛け４７を複数の周囲ピン４５に巻き付けて閉じる。この巻き本体４２と巻き蓋体４３とを閉じた状態で隙間４６から金属糸４８を外部に引き出し、一方の手の親指と人差し指で、中央の左右の円錐形の突起物４２ｃ、４３ｃを両側から押さえ、他方の手の指で巻き本体４２と巻き蓋体４３とを閉じた状態で回して、鮎の友釣り仕掛け巻き具４１を回すことで外周の巻き付け溝４２ｂ１，４３ｂ１に金属糸４８を巻き付け、金属糸４８の最後は、巻き本体４２と巻き蓋体４３の合わせ目に挟んで固定する。なお、この実施の形態では、巻き本体４２の本体部４２ａには、４個の周囲のピン４５が９０度間隔で配置されているが、周囲のピン４５は複数であればよい。また、４個のピン４５に限定されず、円弧状の壁部材などで形成してもよい。
【００２６】
また、図１乃至図７に示す実施の形態の鮎の友釣り仕掛け巻き具４１は、分割筒状の巻き本体４２と、分割筒状の巻き蓋体４３とが、一端部を連結する連結ピン４９を支点に開閉可能になっているが、これに限定されず分割筒状の巻き本体４２と、分割筒状の巻き蓋体４３を分離し、圧入する方法などで開閉可能に構成してもよい。また、絡まり易い針他の入る部分を蝶番で開閉させるようにしてもよい。
【産業上の利用可能性】
【００２７】
この発明は、川釣りに用いられる鮎の友釣り仕掛け巻き具に適用でき、簡単な構造で、錨針を有する仕掛けの釣り糸を迅速、かつ確実に巻き付けることが可能である。
【図面の簡単な説明】
【００２８】
【図１】鮎の友釣り仕掛け巻き具の閉じた状態の正面図である。
【図２】図１のＩＩ−ＩＩ線に沿う断面図である。
【図３】図１のＩＩＩ−ＩＩＩ線に沿う断面図である。
【図４】鮎の友釣り仕掛け巻き具の閉じた状態の側面図である。
【図５】鮎の友釣り仕掛け巻き具の使用状態の正面図である。
【図６】鮎の友釣り仕掛け巻き具の使用状態の側面図である。
【図７】他の実施の形態の鮎の友釣り仕掛け巻き具の使用状態の正面図である。
【符号の説明】
【００２９】
４１  鮎の友釣り仕掛け巻き具
４２  巻き本体
４３  巻き蓋体
４４，４５  ピン
４７  仕掛け
４７ａ  錨針
４７ｂ  逆さ針
４７ｃ  背針
４７ｄ  鼻管
４８  金属糸
【図１】
2008005774.tif 000003
【図２】
2008005774.tif 000004
【図３】
2008005774.tif 000005
【図４】
2008005774.tif 000006
【図５】
2008005774.tif 000007
【図６】
2008005774.tif 000008
【図７】
2008005774.tif 000009